(57)【特許請求の範囲】
【請求項１】
流体を流すコンジット同士を接続するコネクタシステムで用いられるオスコネクタであって、第１の内径を有するスリーブ内に設けられた第１のコンジットと、前記スリーブの入口に位置し、前記スリーブの第１の内径を少なくとも部分的に減少させる障壁（７）とを備え、前記障壁は、標準的なメスロックルアーコネクタの突起（４）がスリーブ（２）内に入ることを少なくとも十分に防止する円周である、前記スリーブの第１の内径よりも小さい第２の内径（ｇ）を有し、これにより、前記オスコネクタが、標準的なメススリップルアーコネクタのみに接続可能であり、且つ、標準的なメスロックルアーコネクタと接続することが防止されることを特徴とする、オスコネクタ。
【請求項２】
前記スリーブの内側にねじ山が形成されている、請求項１に記載のオスコネクタ。
【請求項３】
前記障壁は前記スリーブに接続されている、請求項１または２に記載のオスコネクタ。
【請求項４】
前記障壁は前記スリーブと一体である、請求項１〜３の何れかに記載のオスコネクタ。
【請求項５】
前記障壁は、前記スリーブの内周のすべてまたは一部の周囲に隆起を備える、請求項４に記載のオスコネクタ。
【請求項６】
前記隆起は放射状のスロープを備える、請求項５に記載のオスコネクタ。
【請求項７】
前記隆起は円周のスロープを備える、請求項５に記載のオスコネクタ。
【請求項８】
前記隆起は放射状のスロープと円周のスロープとの両方を備える、請求項５に記載のオスコネクタ。
【請求項９】
前記障壁は前記スリーブの一部であり、前記スリーブの形状は、前記オスコネクタの前記第１のコンジットが標準的なメスロックルアーコネクタの前記第２のコンジットに挿入されると、前記標準的なメスロックルアーコネクタが前記スリーブに完全に挿入されることを防ぐようになっている、請求項１または２に記載のオスコネクタ。
【請求項１０】
前記メスコネクタを前記スリーブに挿入させる場合に前記メスコネクタをガイドするための手段をさらに備える、請求項１〜９の何れかに記載のオスコネクタ。
【請求項１１】
前記ガイドするための手段は前記スリーブの入口に向かって先細である、請求項１０に記載のオスコネクタ。
【請求項１２】
前記ガイドするための手段は前記障壁を備える、請求項１１に記載のオスコネクタ。
【請求項１３】
前記障壁は円板を備え、前記少なくとも１つの開口は、前記円板の円周の切り欠きである、請求項１〜１２の何れかに記載のオスコネクタ。
【請求項１４】
請求項１〜１３の何れかに記載のオスコネクタを備えた輸液セット。
【発明の詳細な説明】
【技術分野】
【０００１】
本発明は、流体を流すコンジット同士を接続するコネクタシステムを提供するものである。
【背景技術】
【０００２】
病院や医療施設において、注射器やポンプ等の輸液機器を、患者のカテーテル、ＩＶチューブおよびその他同様の機器にそのままの状態で取り付けるための標準的な方法では、ルアーコネクタシステムが使用される。ルアーコネクタは、オスコネクタ部品およびメスコネクタ部品から構成されている。オスコネクタ部品およびメスコネクタ部品は、スリップとして知られる簡易な締まりばめによって、または、バリエーションとして、ロックとして知られる簡易なネジによって、流体が漏れない（ｆｌｕｉｄ−ｔｉｇｈｔ）状態で相互に係合する。
【０００３】
静脈コネクタおよびその他の医療用コネクタ（硬膜外コネクタ等）は、一般的にロックルアー（Ｌｕｅｒ−ｌｏｃｋｉｎｇ）接続として知られている。通常、オスルアーコネクタは輸液セットにあり、メスコネクタは血流などの体腔に挿入するカテーテルにある。そのため、両者を接続することにより、流体の、輸液セットから患者への通過を可能にすることができる。器官チューブのカフのエアコネクタは、一般的に、スリップルアー（Ｌｕｅｒ  ｓｌｉｐ）コネクタである。重要なのは、気管チューブのカフに気体を運ぶ管類が、静脈内または硬膜外のコネクタに誤って接続されないようにすることである。
【発明の概要】
【発明が解決しようとする課題】
【０００４】
本発明の目的は、静脈内または硬膜外のコネクタにではなく、気管チューブのカフのエアコネクタに接続するオスコネクタを提供することである。
【課題を解決するための手段】
【０００５】
本発明の第１の局面によると、本発明は、流体を流すコンジット同士を接続するコネクタシステムで用いられるオスコネクタを提供する。前記システムはオスコネクタおよびメスコネクタを備え、これらのコネクタは、流体が漏れない接続を形成するために取り外し可能に相互に係合可能であり、本発明のオスコネクタは標準的なメススリップルアーコネクタにのみ接続するよう構成されている。
【０００６】
前記オスコネクタは標準的なメスロックルアーコネクタとの接続を防止する手段を備えていてもよい。
【０００７】
接続を防止する前記手段は障壁を備えていてもよい。
【０００８】
前記オスコネクタはスリーブ内に第１のコンジットを備え、第１のコンジットは、前記メスコネクタに設けられた第２のコンジットとの間で接続を形成するために第２のコンジットに挿入可能であり、前記障壁は前記スリーブまたは前記スリーブの一部に接続され、前記障壁は前記スリーブの入口または前記スリーブ内に配置されていてもよい。
【０００９】
前記障壁によって、前記スリーブの少なくとも一部の内部断面は、前記オスコネクタの第１のコンジットが標準的なメスロックルアーコネクタの第２のコンジットに挿入されると、前記標準的なメスロックルアーコネクタが前記スリーブに完全に挿入されるのを十分防止できる程度に、小さくなっていてもよい。
【００１０】
前記障壁は、前記スリーブの内周のすべてまたは一部の周囲に隆起を備えていてもよい。
【００１１】
前記障壁は前記スリーブの一部であってもよく、前記スリーブの形状は、前記オスコネクタの第１のコンジットが標準的なメスロックルアーコネクタの第２のコンジットに挿入されると、前記標準的なメスロックルアーコネクタが前記スリーブに完全に挿入されることを防ぐようになっていてもよい。
【００１２】
前記障壁によって、前記スリーブの内部断面は、前記オスコネクタの第１のコンジットが標準的なメススリップルアーコネクタの第２のコンジットに挿入されると、前記標準的なメススリップルアーコネクタを前記スリーブに完全に挿入できる程度に、大きくなっていてもよい。
【００１３】
前記オスコネクタは、第１コンジットを第２コンジットに挿入させる場合に前記各メスコネクタをガイドするための手段を備えていてもよい。
【００１４】
前記ガイドするための手段は前記スリーブの入口に向かって先細であってもよい。
【００１５】
前記ガイドするための手段は前記障壁を備えていてもよい。
【００１６】
本発明の第２の局面によると、上述のように規定されたオスコネクタを備えた輸液セットを提供する。
【００１７】
本発明は、添付の図面を例示の目的で参照して説明される。
【図面の簡単な説明】
【００１８】
【図１】従来技術の標準的なメスロックルアーコネクタと、従来技術の標準的なオスロックルアーコネクタを示す図である。
【図２】従来技術の標準的なメススリップルアーコネクタと、従来技術の標準的なオスロックルアーコネクタを示す図である。
【図３】図１のコネクタが連結されている状態を示す図である。
【図４】図２のコネクタが連結されている状態を示す図である。
【図５】本発明に係るオスコネクタの第１の実施の形態の側面図である。
【図６】図５に示すオスコネクタの端面図である。
【図７】本発明に係るオスコネクタの第２の実施の形態を示す図である。
【図８】図５〜図７に示すオスコネクタの第１の変形例を示す図である。
【図９】図５〜図７に示すオスコネクタの第２の変形例を示す図である。
【図１０】図５〜図７に示すオスコネクタの第３の変形例を示す図である。
【発明を実施するための形態】
【００１９】
図１に示す標準的なオスロックルアー（Ｌｕｅｒ  ｌｏｃｋｉｎｇ）コネクタは、スリーブ（２）内に第１のコンジット（１）を有している。図１に示す標準的なメスロックルアーコネクタは、第２のコンジット（３）を有している。第２のコンジット（３）の外側には、多数の突起（４）がある。スリーブ（２）の内側には、ねじ山（５）がある。使用中は、図３に示すように、第１のコンジット（１）は第２のコンジット（３）に挿入され、２つのコネクタ間で流体が漏れない接続を形成し、標準的なメスルアーコネクタの突起（４）は標準的なオスルアーコネクタ（２）のねじ山（５）と係合する。
【００２０】
図２に示す標準的なオスロックルアーコネクタも、スリーブ（２）の内部に第１のコンジット（１）を有している。図２に示す標準的なメススリップルアーコネクタは、第２のコンジット（６）を有しているが、突起は有していない。使用中は、図４に示すように、第１のコンジット（１）は第２のコンジット（６）に挿入され、２つのコネクタ間で流体が漏れない接続を形成する。
【００２１】
この標準的なルアーコネクタにおける寸法ａ〜ｆは、欧州規格ＥＮ１７０７（１９９７年１月）に示されている。
【００２２】
図５〜図７は、本発明の２つの実施の形態を示す。
【００２３】
それぞれの実施形態には、スリーブ（２）の入口に追加の円板（７）を設けたオスルアーコネクタが備えられている。円板（７）の直径は、寸法ｇが標準的なメスロックルアー（Ｌｕｅｒ  ｌｏｃｋ）コネクタの寸法ｂより小さくなるようになっている。つまり、標準的なメスロックルアーコネクタの突起（４）は、本発明のコネクタのスリーブ（２）内に入ることができないので、標準的なメスロックルアーコネクタを本発明のコネクタに接続することはできない。しかし、寸法ｇは従来技術のスリップルアーコネクタの接続を妨げるほど小さくはない。
【００２４】
取り付けを防ぐためには、寸法ｇを寸法ｂより小さくするだけでよく、コネクタの円周によって、標準的なメスロックルアーコネクタの突起（４）が本発明のコネクタのスリーブ（２）に入るのを十分に防止できる。従って、他にも可能な構成が多数ある。例えば、円板はスリーブの円周の一部のみの周りに延伸してもよく、スリーブの断面は非円筒型であってもよい。
【００２５】
静脈用の接続に用いられるものでないことをユーザーが識別しやすくするように、コネクタに色を付けてもよい。
【００２６】
コネクタは、コネクタを所定の位置で固定するために、メススリップコネクタの外面の溝、隆起、切り欠きまたは突起に係合するためのクリップを備えていてもよい。
【００２７】
コネクタは、注射器に取り付けられていてもよい。従来技術では、注射器にオススリップ末端コネクタまたはオスロックルアー末端コネクタを設けることができる。本実施の形態は、メスロックルアーコネクタへの接続を防止するスリーブを備えている。
【００２８】
オスコネクタには、コネクタの入口に、隆起（ｒｉｄｇｅ  ｍｏｄｉｆｉｃａｔｉｏｎ）またはくぼみ（ｉｎｄｅｎｔａｔｉｏｎ  ｍｏｄｉｆｉｃａｔｉｏｎ）を設けてもよい。隆起またはくぼみにより、メスコネクタを所定の位置にガイドしやすくなる。これにより、直角・直線の端部（図８および図９）、湾曲した端部（図１０）、またはその他の面構成による端部を持つことが可能である。
【００２９】
縁を改変した別の実施の形態は、矢印が示すような、放射状（図１１）または円周の（図１２）スロープを備えている。このスロープは、障壁がスリーブ（２）の円周全体に延伸しない実施の形態において、位置合わせを改善する役割を果たす。円周のスロープにより、隙間（１１）で最低となり、中間点（１０）で最高となる波形となる。
【００３０】
縁を改変した別の実施の形態は、位置合わせを改善することができる放射状のスロープおよび円周のスロープの組合せを備えている。
【００３１】
縁を改変した別の実施の形態は、内面（図１２）に放射状のスロープおよび／または円周のスロープを備えている。これにより、取り付けられたコネクタを取り外しやすくなる。
【００３２】
コネクタの位置合わせを改善するために、これらの実施の形態は、そのいずれか１つ、組合せ、またはそのすべてを同時に使用してもよい。
【図１】
0005458291.tif 000002
【図２】
0005458291.tif 000003
【図３】
0005458291.tif 000004
【図４】
0005458291.tif 000005
【図５】
0005458291.tif 000006
【図６】
0005458291.tif 000007
【図７】
0005458291.tif 000008
【図８】
0005458291.tif 000009
【図９】
0005458291.tif 000010
【図１０】
0005458291.tif 000011